【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
デブロッキングフィルタパラメータがピクチャレイヤパラメータセットとスライスヘッダの両方内に存在するかどうかを判断することと、
デブロッキングフィルタパラメータが前記ピクチャレイヤパラメータセットと前記スライスヘッダの両方内に存在する場合、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内のシンタックス要素を復号することと、
デブロッキングフィルタパラメータが前記ピクチャレイヤパラメータセットまたは前記スライスヘッダのうちの１つ内に存在する場合、前記シンタックス要素が、復号されるべき前記スライスヘッダ内に存在しないと判断することと
を備える方法。
【請求項２】
ビデオデータを符号化する方法であって、
デブロッキングフィルタパラメータがピクチャレイヤパラメータセットとスライスヘッダの両方内に存在するかどうかを判断することと、
デブロッキングフィルタパラメータが前記ピクチャレイヤパラメータセットと前記スライスヘッダの両方内に存在する場合、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内のシンタックス要素を符号化することと、
デブロッキングフィルタパラメータが前記ピクチャレイヤパラメータセットまたは前記スライスヘッダのうちの１つ内に存在する場合、前記スライスヘッダ内の前記シンタックス要素の符号化を排除することと
を備える方法。
【請求項３】
デブロッキングパラメータが前記ピクチャレイヤパラメータセットと前記スライスヘッダの両方内に存在するかどうかを判断することが、前記ピクチャレイヤパラメータセットまたはシーケンスパラメータセット（ＳＰＳ）のうちの１つにおけるシンタックス要素をコーディングすることを備える、請求項１または２に記載の方法。
【請求項４】
デブロッキングフィルタパラメータが前記ピクチャレイヤパラメータセットまたは前記スライスヘッダのうちの１つ内に存在する場合、前記ピクチャレイヤパラメータセットまたは前記スライスヘッダのうちの前記１つ内に存在するデブロッキングフィルタパラメータに基づいて、前記現在のビデオスライスに適用される前記デブロッキングフィルタを定義することをさらに備える、請求項１または２に記載の方法。
【請求項５】
デブロッキングパラメータが前記ピクチャレイヤパラメータセットと前記スライスヘッダの両方内に存在するかどうかを判断することが、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグをコーディングすることを備える、請求項１または２に記載の方法。
【請求項６】
前記オーバーライドがイネーブルされる場合、前記シンタックス要素を符号化することが、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを符号化することを備え、
前記オーバーライドがイネーブルされない場合、前記シンタックス要素の符号化を排除することが、前記スライスヘッダ内のオーバーライドフラグの符号化を排除することを備え、前記ピクチャレイヤパラメータセットに含まれるデブロッキングフィルタパラメータの前記第１のセットに基づいて前記現在のビデオスライスに適用される前記デブロッキングフィルタを定義することをさらに備える、請求項２に従属する場合の請求項５に記載の方法。
【請求項７】
前記オーバーライドがイネーブルされる場合、前記シンタックス要素を復号することが、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを復号することを備え、
前記オーバーライドがイネーブルされない場合、前記シンタックス要素が前記スライスヘッダ内に存在しないと判断することが、復号されるべき前記スライスヘッダ内にオーバーライドフラグが存在しないと判断することを備え、前記方法が、前記ピクチャレイヤパラメータセットに含まれるデブロッキングフィルタパラメータの前記第１のセットに基づいて前記現在のビデオスライスに適用される前記デブロッキングフィルタを定義することをさらに備える、請求項１に従属する場合の請求項５に記載の方法。
【請求項８】
デブロッキングパラメータが前記ピクチャレイヤパラメータセットと前記スライスヘッダの両方内に存在するかどうかを判断することが、前記スライスヘッダによって継承されるべきデブロッキングフィルタパラメータの前記第１のセットが前記ピクチャレイヤパラメータセットに存在するかどうかを示す継承イネーブルフラグをコーディングすることを備える、請求項１または２に記載の方法。
【請求項９】
前記スライスヘッダによって継承されるべきデブロッキングフィルタパラメータの前記第１のセットが存在する場合、前記シンタックス要素を符号化することが、前記現在のビデオスライスに適用される前記デブロッキングフィルタを定義するために、前記スライスヘッダに含まれるデブロッキングフィルタパラメータの前記第２のセットを使用すべきか、または前記ピクチャレイヤパラメータセットからデブロッキングフィルタパラメータの前記第１のセットを継承すべきかを示す前記スライスヘッダ内の継承フラグを符号化することを備え、
前記スライスヘッダによって継承されるべきデブロッキングフィルタパラメータの前記第１のセットが存在しない場合、前記シンタックス要素の符号化を排除することが、前記スライスヘッダ内の継承フラグの符号化を排除することを備え、前記方法が、前記スライスヘッダに含まれるデブロッキングフィルタパラメータの前記第２のセットに基づいて前記現在のビデオスライスに適用される前記デブロッキングフィルタを定義することをさらに備える、請求項２に従属する場合の請求項８に記載の方法。
【請求項１０】
前記スライスヘッダによって継承されるべきデブロッキングフィルタパラメータの前記第１のセットが存在する場合、前記シンタックス要素を復号することが、前記現在のビデオスライスに適用される前記デブロッキングフィルタを定義するために、前記スライスヘッダに含まれるデブロッキングフィルタパラメータの前記第２のセットを使用すべきか、または前記ピクチャレイヤパラメータセットからデブロッキングフィルタパラメータの前記第１のセットを継承すべきかを示す前記スライスヘッダ内の継承フラグを復号することを備え、
前記スライスヘッダによって継承されるべきデブロッキングフィルタパラメータの前記第１のセットが存在しない場合、前記シンタックス要素が前記スライスヘッダ内に存在しないと判断することが、復号されるべき前記スライスヘッダ内に継承フラグが存在しないと判断することを備え、前記方法が、前記スライスヘッダに含まれるデブロッキングフィルタパラメータの前記第２のセットに基づいて前記現在のビデオスライスに適用される前記デブロッキングフィルタを定義することをさらに備える、請求項１に従属する場合の請求項８に記載の方法。
【請求項１１】
前記ピクチャレイヤパラメータセットおよびシーケンスパラメータセット（ＳＰＳ）のうちの１つ内のシンタックス要素をコーディングすることをさらに備え、前記シンタックス要素が、デブロッキングフィルタ制御シンタックス要素が前記ピクチャレイヤパラメータセットおよび前記スライスヘッダ内に存在することを示すように定義される、請求項１または２に記載の方法。
【請求項１２】
シーケンスパラメータセット（ＳＰＳ）内のシンタックス要素をコーディングすることをさらに備え、前記シンタックス要素が、前記デブロッキングフィルタが前記現在のビデオスライスのためにイネーブルされることを示すように定義される、請求項１または２に記載の方法。
【請求項１３】
デブロッキングフィルタパラメータがピクチャレイヤパラメータセットとスライスヘッダの両方内に存在するかどうかを判断するための手段と、
デブロッキングフィルタパラメータが前記ピクチャレイヤパラメータセットと前記スライスヘッダの両方内に存在する場合、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内のシンタックス要素を復号するための手段と、
デブロッキングフィルタパラメータが前記ピクチャレイヤパラメータセットまたは前記スライスヘッダのうちの１つ内に存在する場合、前記シンタックス要素が、復号されるべき前記スライスヘッダ内に存在しないと判断するための手段と
を備えるビデオ復号デバイス。
【請求項１４】
デブロッキングフィルタパラメータがピクチャレイヤパラメータセットとスライスヘッダの両方内に存在するかどうかを判断するための手段と、
デブロッキングフィルタパラメータが前記ピクチャレイヤパラメータセットと前記スライスヘッダの両方内に存在する場合、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内のシンタックス要素を符号化するための手段と、
デブロッキングフィルタパラメータが前記ピクチャレイヤパラメータセットまたは前記スライスヘッダのうちの１つ内に存在する場合、前記スライスヘッダ内の前記シンタックス要素の符号化を排除するための手段と
を備えるビデオ符号化デバイス。
【請求項１５】
実行されたときに、１つまたは複数のプロセッサに、請求項１乃至１２のうちのいずれか一項に記載のそれぞれの方法を行わせる、ビデオデータを符号化するまたは復号するための命令を備えるコンピュータ可読媒体。
【手続補正２】
【補正対象書類名】明細書
【補正対象項目名】０１７１
【補正方法】変更
【補正の内容】
【０１７１】
[0178]様々な例について説明した。これらおよび他の例は以下の特許請求の範囲内に入
る。
以下に、本願出願の当初の特許請求の範囲に記載された発明を付記する。
［Ｃ１］  ビデオデータを復号する方法であって、
デブロッキングフィルタパラメータがピクチャレイヤパラメータセットとスライスヘッダの両方内に存在するかどうかを示すように定義された第１のシンタックス要素を復号することと、
デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を復号することと、
デブロッキングフィルタパラメータが前記ピクチャレイヤパラメータセットと前記スライスヘッダの両方内に存在しないことを前記第１のシンタックス要素が示すときに、前記第２のシンタックス要素が、復号されるべき前記スライスヘッダ内に存在しないと判断することと
を備える方法。
［Ｃ２］  前記ピクチャレイヤパラメータセットが、ピクチャパラメータセット（ＰＰＳ）または適応パラメータセット（ＡＰＳ）のうちの１つを備える、Ｃ１に記載の方法。
［Ｃ３］  前記第１のシンタックス要素を復号することが、前記ピクチャレイヤパラメータセットまたはシーケンスパラメータセット（ＳＰＳ）のうちの１つにおける前記第１のシンタックス要素を復号することを備える、Ｃ１に記載の方法。
［Ｃ４］  デブロッキングフィルタパラメータが前記ピクチャレイヤパラメータセットと前記スライスヘッダの両方内に存在しないことを前記第１のシンタックス要素が示すときに、前記ピクチャレイヤパラメータセットおよび前記スライスヘッダのうちの１つ内に存在するデブロッキングフィルタパラメータに基づいて、前記現在のビデオスライスに適用される前記デブロッキングフィルタを定義することをさらに備える、Ｃ１に記載の方法。
［Ｃ５］  前記第１のシンタックス要素を復号することが、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグを復号することを備える、Ｃ１に記載の方法。
［Ｃ６］  前記オーバーライドがイネーブルされるときに、前記第２のシンタックス要素を復号することが、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを復号することを備える、Ｃ５に記載の方法。
［Ｃ７］  前記オーバーライドがイネーブルされないときに、前記第２のシンタックス要素が前記スライスヘッダ内に存在しないと判断することが、復号されるべき前記スライスヘッダ内にオーバーライドフラグが存在しないと判断することを備え、前記ピクチャレイヤパラメータセットに含まれるデブロッキングフィルタパラメータの前記第１のセットに基づいて前記現在のビデオスライスに適用される前記デブロッキングフィルタを定義することをさらに備える、Ｃ５に記載の方法。
［Ｃ８］  前記第１のシンタックス要素を復号することが、前記スライスヘッダによって継承されるべきデブロッキングフィルタパラメータの前記第１のセットが前記ピクチャレイヤパラメータセットに存在するかどうかを示す継承イネーブルフラグを復号することを備える、Ｃ１に記載の方法。
［Ｃ９］  前記スライスヘッダによって継承されるべきデブロッキングフィルタパラメータの前記第１のセットが存在するときに、前記第２のシンタックス要素を復号することが、前記現在のビデオスライスに適用される前記デブロッキングフィルタを定義するために、前記スライスヘッダに含まれるデブロッキングフィルタパラメータの前記第２のセットを使用すべきか、または前記ピクチャレイヤパラメータセットからデブロッキングフィルタパラメータの前記第１のセットを継承すべきかを示す前記スライスヘッダ内の継承フラグを復号することを備える、Ｃ８に記載の方法。
［Ｃ１０］  前記スライスヘッダによって継承されるべきデブロッキングフィルタパラメータの前記第１のセットが存在しないときに、前記第２のシンタックス要素が前記スライスヘッダ内に存在しないと判断することが、復号されるべき前記スライスヘッダ内に継承フラグが存在しないと判断することを備え、前記方法が、前記スライスヘッダに含まれるデブロッキングフィルタパラメータの前記第２のセットに基づいて前記現在のビデオスライスに適用される前記デブロッキングフィルタを定義することをさらに備える、Ｃ８に記載の方法。
［Ｃ１１］  前記第１のシンタックス要素を復号するより前に、前記ピクチャレイヤパラメータセットおよび前記スライスヘッダ内にデブロッキングフィルタ制御シンタックス要素が存在することを示すように定義された第３のシンタックス要素を復号することをさらに備え、前記第１のシンタックス要素および前記第２のシンタックス要素が、デブロッキングフィルタ制御シンタックス要素を備える、Ｃ１に記載の方法。
［Ｃ１２］  前記第３のシンタックス要素を復号することが、前記ピクチャレイヤパラメータセットおよびシーケンスパラメータセット（ＳＰＳ）のうちの１つ内の制御存在シンタックス要素を復号することを備える、Ｃ１１に記載の方法。
［Ｃ１３］  前記デブロッキングフィルタが前記現在のビデオスライスのためにイネーブルされることを示すように定義された第４のシンタックス要素を復号することをさらに備える、Ｃ１に記載の方法。
［Ｃ１４］  前記第４のシンタックス要素を復号することが、前記第１のシンタックス要素を復号するより前に、シーケンスパラメータセット（ＳＰＳ）内のデブロッキングフィルタイネーブルフラグを復号することを備える、Ｃ１３に記載の方法。
［Ｃ１５］  ビデオデータを記憶するメモリと、
デブロッキングフィルタパラメータがピクチャレイヤパラメータセットとスライスヘッダの両方内に存在するかどうかを示すように定義された第１のシンタックス要素を復号するように構成されたプロセッサと
を備え、
前記プロセッサは、デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を復号することを行うように構成され、
前記プロセッサは、デブロッキングフィルタパラメータが前記ピクチャレイヤパラメータセットと前記スライスヘッダの両方内に存在しないことを前記第１のシンタックス要素が示すときに、前記第２のシンタックス要素が、復号されるべき前記スライスヘッダ内に存在しないと判断することを行うように構成された
ビデオ復号デバイス。
［Ｃ１６］  前記ピクチャレイヤパラメータセットが、ピクチャパラメータセット（ＰＰＳ）または適応パラメータセット（ＡＰＳ）のうちの１つを備える、Ｃ１５に記載のビデオ復号デバイス。
［Ｃ１７］  前記プロセッサが、前記ピクチャレイヤパラメータセットまたはシーケンスパラメータセット（ＳＰＳ）のうちの１つ内の前記第１のシンタックス要素を復号することを行うように構成された、Ｃ１５に記載のビデオ復号デバイス。
［Ｃ１８］  前記プロセッサは、デブロッキングフィルタパラメータが前記ピクチャレイヤパラメータセットと前記スライスヘッダの両方内に存在しないことを前記第１のシンタックス要素が示すときに、前記ピクチャレイヤパラメータセットおよび前記スライスヘッダのうちの１つ内に存在するデブロッキングフィルタパラメータに基づいて、前記現在のビデオスライスに適用される前記デブロッキングフィルタを定義することを行うように構成された、Ｃ１５に記載のビデオ復号デバイス。
［Ｃ１９］  前記プロセッサは、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグを復号することを行うように構成された、Ｃ１５に記載のビデオ復号デバイス。
［Ｃ２０］  前記プロセッサは、前記オーバーライドがイネーブルされるときに、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを復号することを行うように構成された、Ｃ１９に記載のビデオ復号デバイス。
［Ｃ２１］  前記プロセッサは、前記オーバーライドがイネーブルされないときに、復号されるべき前記スライスヘッダ内にオーバーライドフラグが存在しないと判断することと、前記ピクチャレイヤパラメータセットに含まれるデブロッキングフィルタパラメータの前記第１のセットに基づいて前記現在のビデオスライスに適用される前記デブロッキングフィルタを定義することとを行うように構成された、Ｃ１９に記載のビデオ復号デバイス。
［Ｃ２２］  前記プロセッサは、前記ピクチャレイヤパラメータセット内に前記スライスヘッダによって継承されるべきデブロッキングフィルタパラメータの前記第１のセットが存在するかどうかを示す継承イネーブルフラグを復号することを行うように構成された、Ｃ１５に記載のビデオ復号デバイス。
［Ｃ２３］  前記プロセッサは、前記スライスヘッダによって継承されるべきデブロッキングフィルタパラメータの前記第１のセットが存在するときに、前記現在のビデオスライスに適用される前記デブロッキングフィルタを定義するために、前記スライスヘッダに含まれるデブロッキングフィルタパラメータの前記第２のセットを使用すべきか、または前記ピクチャレイヤパラメータセットからデブロッキングフィルタパラメータの前記第１のセットを継承すべきかを示す前記スライスヘッダ内の継承フラグを復号することを行うように構成された、Ｃ２２に記載のビデオ復号デバイス。
［Ｃ２４］  前記プロセッサは、前記スライスヘッダによって継承されるべきデブロッキングフィルタパラメータの前記第１のセットが存在しないときに、復号されるべき前記スライスヘッダ内に継承フラグが存在しないと判断することと、前記スライスヘッダに含まれるデブロッキングフィルタパラメータの前記第２のセットに基づいて前記現在のビデオスライスに適用される前記デブロッキングフィルタを定義することとを行うように構成された、Ｃ２２に記載のビデオ復号デバイス。
［Ｃ２５］  デブロッキングフィルタパラメータがピクチャレイヤパラメータセットとスライスヘッダの両方内に存在するかどうかを示すように定義された第１のシンタックス要素を復号するための手段と、
デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を復号するための手段と、
デブロッキングフィルタパラメータが前記ピクチャレイヤパラメータセットと前記スライスヘッダの両方内に存在しないことを前記第１のシンタックス要素が示すときに、前記第２のシンタックス要素が、復号されるべき前記スライスヘッダ内に存在しないと判断するための手段と
を備えるビデオ復号デバイス。
［Ｃ２６］  前記ピクチャレイヤパラメータセットがピクチャパラメータセット（ＰＰＳ）を備える、Ｃ２５に記載のビデオ復号デバイス。
［Ｃ２７］  前記第１のシンタックス要素を復号するための前記手段が、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグを復号するための手段を備える、Ｃ２５に記載のビデオ復号デバイス。
［Ｃ２８］  前記オーバーライドがイネーブルされるときに、前記第２のシンタックス要素を復号するための前記手段が、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを復号するための手段を備える、Ｃ２７に記載のビデオ復号デバイス。
［Ｃ２９］  前記オーバーライドがイネーブルされないときに、前記第２のシンタックス要素が前記スライスヘッダ内に存在しないと判断するための前記手段が、復号されるべき前記スライスヘッダ内にオーバーライドフラグが存在しないと判断するための手段を備え、前記ビデオ復号デバイスが、前記ピクチャレイヤパラメータセットに含まれるデブロッキングフィルタパラメータの前記第１のセットに基づいて前記現在のビデオスライスに適用される前記デブロッキングフィルタを定義するための手段をさらに備える、Ｃ２７に記載のビデオ復号デバイス。
［Ｃ３０］  実行されたときに、１つまたは複数のプロセッサに、
デブロッキングフィルタパラメータがピクチャレイヤパラメータセットとスライスヘッダの両方内に存在するかどうかを示すように定義された第１のシンタックス要素を復号することと、
デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を復号することと、
デブロッキングフィルタパラメータが前記ピクチャレイヤパラメータセットと前記スライスヘッダの両方内に存在しないことを前記第１のシンタックス要素が示すときに、前記第２のシンタックス要素が、復号されるべき前記スライスヘッダ内に存在しないと判断することと
を行わせる、ビデオデータを復号するための命令を備えるコンピュータ可読媒体。
［Ｃ３１］  ビデオデータを符号化する方法であって、
デブロッキングフィルタパラメータがピクチャレイヤパラメータセットとスライスヘッダの両方内に存在するかどうかを示すように定義された第１のシンタックス要素を符号化することと、
デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を符号化することと、
デブロッキングフィルタパラメータが前記ピクチャレイヤパラメータセットと前記スライスヘッダの両方内に存在しないことを前記第１のシンタックス要素が示すときに、前記スライスヘッダ内の前記第２のシンタックス要素の符号化を排除することと
を備える方法。
［Ｃ３２］  前記ピクチャレイヤパラメータセットが、ピクチャパラメータセット（ＰＰＳ）または適応パラメータセット（ＡＰＳ）のうちの１つを備える、Ｃ３１に記載の方法。
［Ｃ３３］  前記第１のシンタックス要素を符号化することが、前記ピクチャレイヤパラメータセットまたはシーケンスパラメータセット（ＳＰＳ）のうちの１つ内の前記第１のシンタックス要素を符号化することを備える、Ｃ３１に記載の方法。
［Ｃ３４］  デブロッキングフィルタパラメータが前記ピクチャレイヤパラメータセットと前記スライスヘッダの両方内に存在しないことを前記第１のシンタックス要素が示すときに、前記ピクチャレイヤパラメータセットおよび前記スライスヘッダのうちの１つ内に存在するデブロッキングフィルタパラメータに基づいて、前記現在のビデオスライスに適用される前記デブロッキングフィルタを定義することをさらに備える、Ｃ３１に記載の方法。
［Ｃ３５］  前記第１のシンタックス要素を符号化することが、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグを符号化することを備える、Ｃ３１に記載の方法。
［Ｃ３６］  前記オーバーライドがイネーブルされるときに、前記第２のシンタックス要素を符号化することが、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを符号化することを備える、Ｃ３５に記載の方法。
［Ｃ３７］  前記オーバーライドがイネーブルされないときに、前記第２のシンタックス要素の符号化を排除することが、前記スライスヘッダ内のオーバーライドフラグの符号化を排除することを備え、前記方法が、前記ピクチャレイヤパラメータセットに含まれるデブロッキングフィルタパラメータの前記第１のセットに基づいて前記現在のビデオスライスに適用される前記デブロッキングフィルタを定義することをさらに備える、Ｃ３５に記載の方法。
［Ｃ３８］  前記第１のシンタックス要素を符号化することが、前記ピクチャレイヤパラメータセット内に前記スライスヘッダによって継承されるべきデブロッキングフィルタパラメータの前記第１のセットが存在するかどうかを示す継承イネーブルフラグを符号化することを備える、Ｃ３１に記載の方法。
［Ｃ３９］  前記スライスヘッダによって継承されるべきデブロッキングフィルタパラメータの前記第１のセットが存在するときに、前記第２のシンタックス要素を符号化することが、前記現在のビデオスライスに適用される前記デブロッキングフィルタを定義するために、前記スライスヘッダに含まれるデブロッキングフィルタパラメータの前記第２のセットを使用すべきか、または前記ピクチャレイヤパラメータセットからデブロッキングフィルタパラメータの前記第１のセットを継承すべきかを示す前記スライスヘッダ内の継承フラグを符号化することを備える、Ｃ３８に記載の方法。
［Ｃ４０］  前記スライスヘッダによって継承されるべきデブロッキングフィルタパラメータの前記第１のセットが存在しないときに、前記第２のシンタックス要素の符号化を排除することが、前記スライスヘッダ内の継承フラグの符号化を排除することを備え、前記方法が、前記スライスヘッダに含まれるデブロッキングフィルタパラメータの前記第２のセットに基づいて前記現在のビデオスライスに適用される前記デブロッキングフィルタを定義することをさらに備える、Ｃ３８に記載の方法。
［Ｃ４１］  前記第１のシンタックス要素を符号化するより前に、前記ピクチャレイヤパラメータセットおよび前記スライスヘッダ内にデブロッキングフィルタ制御シンタックス要素が存在することを示すように定義された第３のシンタックス要素を符号化することをさらに備え、前記第１のシンタックス要素および前記第２のシンタックス要素が、デブロッキングフィルタ制御シンタックス要素を備える、Ｃ３１に記載の方法。
［Ｃ４２］  前記第３のシンタックス要素を符号化することが、前記ピクチャレイヤパラメータセットおよびシーケンスパラメータセット（ＳＰＳ）のうちの１つ内の制御存在シンタックス要素を符号化することを備える、Ｃ４１に記載の方法。
［Ｃ４３］  前記デブロッキングフィルタが前記現在のビデオスライスのためにイネーブルされることを示すように定義された第４のシンタックス要素を符号化することをさらに備える、Ｃ３１に記載の方法。
［Ｃ４４］  前記第４のシンタックス要素を符号化することが、前記第１のシンタックス要素を符号化するより前に、シーケンスパラメータセット（ＳＰＳ）内のデブロッキングフィルタイネーブルフラグを符号化することを備える、Ｃ４３に記載の方法。
［Ｃ４５］  ビデオデータを記憶するメモリと、
デブロッキングフィルタパラメータがピクチャレイヤパラメータセットとスライスヘッダの両方内に存在するかどうかを示すように定義された第１のシンタックス要素を符号化するように構成されたプロセッサと
を備え、
前記プロセッサは、デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を符号化することを行うように構成され、
前記プロセッサは、デブロッキングフィルタパラメータが前記ピクチャレイヤパラメータセットと前記スライスヘッダの両方内に存在しないことを前記第１のシンタックス要素が示すときに、前記スライスヘッダ内の前記第２のシンタックス要素の符号化を排除することを行うように構成された
ビデオ符号化デバイス。
［Ｃ４６］  前記ピクチャレイヤパラメータセットが、ピクチャパラメータセット（ＰＰＳ）または適応パラメータセット（ＡＰＳ）のうちの１つを備える、Ｃ４５に記載のビデオ符号化デバイス。
［Ｃ４７］  前記プロセッサが、前記ピクチャレイヤパラメータセットまたはシーケンスパラメータセット（ＳＰＳ）のうちの１つ内の前記第１のシンタックス要素を符号化することを行うように構成された、Ｃ４５に記載のビデオ符号化デバイス。
［Ｃ４８］  前記プロセッサは、デブロッキングフィルタパラメータが前記ピクチャレイヤパラメータセットと前記スライスヘッダの両方内に存在しないことを前記第１のシンタックス要素が示すときに、前記ピクチャレイヤパラメータセットおよび前記スライスヘッダのうちの１つ内に存在するデブロッキングフィルタパラメータに基づいて、前記現在のビデオスライスに適用される前記デブロッキングフィルタを定義することを行うように構成された、Ｃ４５に記載のビデオ符号化デバイス。
［Ｃ４９］  前記プロセッサは、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグを符号化することを行うように構成された、Ｃ４５に記載のビデオ符号化デバイス。
［Ｃ５０］  前記プロセッサは、前記オーバーライドがイネーブルされるときに、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを符号化することを行うように構成された、Ｃ４９に記載のビデオ符号化デバイス。
［Ｃ５１］  前記プロセッサは、前記オーバーライドがイネーブルされないときに、前記スライスヘッダ内のオーバーライドフラグの符号化を排除することと、前記ピクチャレイヤパラメータセットに含まれるデブロッキングフィルタパラメータの前記第１のセットに基づいて前記現在のビデオスライスに適用される前記デブロッキングフィルタを定義することとを行うように構成された、Ｃ４９に記載のビデオ符号化デバイス。
［Ｃ５２］  前記プロセッサは、前記スライスヘッダによって継承されるべきデブロッキングフィルタパラメータの前記第１のセットが前記ピクチャレイヤパラメータセット内に存在するかどうかを示す継承イネーブルフラグを符号化することを行うように構成された、Ｃ４５に記載のビデオ符号化デバイス。
［Ｃ５３］  前記プロセッサは、前記スライスヘッダによって継承されるべきデブロッキングフィルタパラメータの前記第１のセットが存在するときに、前記現在のビデオスライスに適用される前記デブロッキングフィルタを定義するために、前記スライスヘッダに含まれるデブロッキングフィルタパラメータの前記第２のセットを使用すべきか、または前記ピクチャレイヤパラメータセットからデブロッキングフィルタパラメータの前記第１のセットを継承すべきかを示す前記スライスヘッダ内の継承フラグを符号化することを行うように構成された、Ｃ５２に記載のビデオ符号化デバイス。
［Ｃ５４］  前記プロセッサは、前記スライスヘッダによって継承されるべきデブロッキングフィルタパラメータの前記第１のセットが存在するときに、前記スライスヘッダ内の継承フラグの符号化を排除することと、前記スライスヘッダに含まれるデブロッキングフィルタパラメータの前記第２のセットに基づいて前記現在のビデオスライスに適用される前記デブロッキングフィルタを定義することとを行うように構成された、Ｃ５２に記載のビデオ符号化デバイス。
［Ｃ５５］  デブロッキングフィルタパラメータがピクチャレイヤパラメータセットとスライスヘッダの両方内に存在するかどうかを示すように定義された第１のシンタックス要素を符号化するための手段と、
デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を符号化するための手段と、
デブロッキングフィルタパラメータが前記ピクチャレイヤパラメータセットと前記スライスヘッダの両方内に存在しないことを前記第１のシンタックス要素が示すときに、前記スライスヘッダ内の前記第２のシンタックス要素の符号化を排除するための手段と
を備えるビデオ符号化デバイス。
［Ｃ５６］  前記ピクチャレイヤパラメータセットがピクチャパラメータセット（ＰＰＳ）を備える、Ｃ５５に記載のビデオ符号化デバイス。
［Ｃ５７］  前記第１のシンタックス要素を符号化するための前記手段が、デブロッキングフィルタパラメータの前記第２のセットによるデブロッキングフィルタパラメータの前記第１のセットのオーバーライドがイネーブルされるかどうかを示す前記ピクチャレイヤパラメータセット内のオーバーライドイネーブルフラグを符号化するための手段を備える、Ｃ５５に記載のビデオ符号化デバイス。
［Ｃ５８］  前記オーバーライドがイネーブルされるときに、前記第２のシンタックス要素を符号化するための前記手段が、前記現在のビデオスライスに適用される前記デブロッキングフィルタを定義するために、前記ピクチャレイヤパラメータセットからデブロッキングフィルタパラメータの前記第１のセットを使用すべきか、または前記スライスヘッダに含まれるデブロッキングフィルタパラメータの前記第２のセットでデブロッキングフィルタパラメータの前記第１のセットをオーバーライドすべきかを示す前記スライスヘッダ内のオーバーライドフラグを符号化するための手段を備える、Ｃ５７に記載のビデオ符号化デバイス。
［Ｃ５９］  前記オーバーライドがイネーブルされないときに、前記第２のシンタックス要素の符号化を排除するための前記手段が、前記スライスヘッダ内のオーバーライドフラグの符号化を排除するための手段を備え、前記ビデオ符号化デバイスが、前記ピクチャレイヤパラメータセットに含まれるデブロッキングフィルタパラメータの前記第１のセットに基づいて前記現在のビデオスライスに適用される前記デブロッキングフィルタを定義するための手段をさらに備える、Ｃ５７に記載のビデオ符号化デバイス。
［Ｃ６０］  実行されたときに、１つまたは複数のプロセッサに、
デブロッキングフィルタパラメータがピクチャレイヤパラメータセットとスライスヘッダの両方内に存在するかどうかを示すように定義された第１のシンタックス要素を符号化することと、
デブロッキングフィルタパラメータが前記ピクチャレイヤパラメータセットと前記スライスヘッダの両方内に存在することを前記第１のシンタックス要素が示すときに、現在のビデオスライスに適用されるデブロッキングフィルタを定義するために、前記ピクチャレイヤパラメータセットに含まれるデブロッキングフィルタパラメータの第１のセットを使用すべきか、または前記スライスヘッダに含まれるデブロッキングフィルタパラメータの第２のセットを使用すべきかを示すように定義された前記スライスヘッダ内の第２のシンタックス要素を符号化することと、
デブロッキングフィルタパラメータが前記ピクチャレイヤパラメータセットと前記スライスヘッダの両方内に存在しないことを前記第１のシンタックス要素が示すときに、前記スライスヘッダ内の前記第２のシンタックス要素の符号化を排除することと
を行わせる、ビデオデータを復号するための命令を備えるコンピュータ可読媒体。